(57)【要約】【課題】本発明は、レンズの径方向の寸法を大きくすることなく、レンズの光軸方向である奥行き寸法を小さくすることが可能な撮像装置を提供すること。【解決手段】本発明の撮像装置１のシャッタ装置２は、対物レンズ５ａと第１のレンズ鏡筒４ａとの間に配設され、シャッタ羽根１５およびシャッタ羽根１５の開閉動作を行うための開閉駆動部１９を、レンズ光軸Ａと直交する方向に延びる仮想線Ｂより一方側、あるいは仮想線Ｂ近傍に配設して、仮想線Ｂより他方側の面積を小さくし、この面積の小さくなったシャッタ装置２の他方側近傍にレンズ鏡筒４ａ、４ｂをレンズ光軸Ａ方向に移動操作するためのアクチュエータ８、８を配設したので、奥行き寸法を小さくできる。【選択図】      図１
2005195845.tif 000002
【特許請求の範囲】
【請求項１】
撮像素子と、この撮像素子と対向する側に配設した対物レンズと、前記撮像素子と前記対物レンズとの間に配設した所定の口径のレンズと、このレンズを内蔵してレンズ光軸に沿って移動可能なレンズ鏡筒と、前記対物レンズを透過した光が前記レンズ鏡筒の前記レンズに入射するのを遮蔽可能なシャッタ羽根を有するシャッタ装置とを備え、
前記シャッタ装置は、前記レンズ光軸と直交する方向に延びる仮想線より一方側、あるいは前記仮想線近傍に、前記シャッタ羽根、およびこのシャッタ羽根の開閉動作を行うための開閉駆動部を配設し、前記仮想線より他方側の面積を小さくした非対称に形成され、前記シャッタ装置の前記他方側と対向する側に、前記レンズ鏡筒を前記レンズ光軸に沿って移動操作するためのアクチュエータを配設したことを特徴とする撮像装置。
【請求項２】
前記シャッタ装置は、前記シャッタ羽根と、前記レンズ鏡筒に内蔵した前記レンズに入射する光量を調整可能な絞り羽根とを有し、前記シャッタ羽根および前記絞り羽根には、それぞれ前記開閉駆動部が係合されて、前記シャッタ羽根および前記絞り羽根を独立して駆動可能になっていることを特徴とする請求項１記載の撮像装置。
【請求項３】
前記開閉駆動部は、前記レンズ光軸を挟んだ互いに対向する位置にそれぞれ配設したことをことを特徴とする請求項２記載の撮像装置。
【請求項４】
前記レンズ鏡筒は、ズームレンズを組み込んだ第１レンズ鏡筒と、フォーカスレンズを組み込んだ第２レンズ鏡筒とを有し、前記アクチュエータは、前記第１、第２レンズ鏡筒をそれぞれ独立して前記移動操作可能な第１、第２アクチュエータとを有し、この第１、第２アクチュエータは、前記シャッタ部材の前記他方側と対向する側にそれぞれ配設したことを特徴とする請求項２または３記載の撮像装置。
【請求項５】
前記アクチュエータは、円筒状の固定コイルと、この固定コイルの円筒内部に位置して前記レンズ光軸と平行方向に往復移動可能な可動体と、前記コイルおよび前記可動体の外周を覆うカバーとを有し、前記可動体には、前記カバーの外側に延びて前記レンズ鏡筒を係支可能なアーム部が形成され、前記可動体は、前記アーム部の一部が支持軸に軸支されて前記レンズ光軸と平行方向の往復移動可能になっており、前記可動体の往復移動に連動して前記レンズ鏡筒が往復移動することを特徴とする請求項１乃至４のいずかに記載の撮像装置。
【請求項６】
前記可動体は、駆動マグネットを有し、この駆動マグネットは、前記アーム部を介して前記支持軸に片持ち支持されて前記カバー内部で自由端状になっていることを特徴とする請求項５記載の撮像装置。
【発明の詳細な説明】
【技術分野】
【０００１】
本発明は、ＣＣＤやＣＭＯＳ等の撮像素子を備えると共に、レンズ鏡筒の開口を開閉するシャッタ装置を有する撮像装置に関する。
【背景技術】
【０００２】
一般に、デジタルカメラや携帯電話器等に取り付けられている図示を省略した撮像装置においては、小型のレンズを内蔵したレンズ鏡筒と対物レンズとの間にシャッタ装置を配置し、レンズを通過する光によって形成される画像側にＣＣＤやＣＭＯＳ等からなる撮像素子を配置している。
【０００３】
前記レンズ鏡筒は、ズームレンズを組み込んだレンズ鏡筒およびフォーカスレンズを組み込んだレンズ鏡筒を有し、このレンズ鏡筒には、アクチュエータが接続されて、レンズ鏡筒をレンズ光軸方向に移動操作可能になっている。
また、シャッタ装置は、特許文献１に記載のような、レンズ光軸上に形成した開口部の外側に回動中心を置いて、互いに対向配置した２枚のシャッタ羽根を配設している。
前記シャッタ羽根は、開口部の外側に配置したステッピングモータ等の回動駆動手段により正逆回動させて、開口部を開閉可能に構成されている。
このような構成のシャッタ装置は、ステッピングモータ等の回動駆動手段を正逆回転させることにより、互いに対向する位置のシャッタ羽根を回動させるために、開口部を中心とする円筒状に形成されていた。そして、シャッタ装置は、開口部の中心がレンズ軸心に位置合わせされて撮像装置の筐体内部に組み込まれていた。
【０００４】
また、レンズ鏡筒をレンズ軸心方向に移動操作可能なアクチュエータは、特許文献２に記載のように、レンズ軸心と平行に配設された横長状の支持軸に往復移動可能に支持されたコイルと、支持軸の両端部に配設したマグネットとを有し、コイルにレンズ鏡筒が直結されて構成されていた。
このような構成のアクチュエータは、レンズ軸心と平行な横長状に形成されて、コイルに通電することで発生する磁束がマグネットの磁束に作用して、コイルが支持軸に沿って往復移動することにより、レンズ鏡筒がレンズ軸心方向に移動して、所定のズーミング動作、あるいはフォーカス動作が可能になっていた。
【０００５】
前記特許文献２に記載のアクチュエータを用いた従来の撮像装置においては、レンズ鏡筒とアクチュエータとの間の距離を小さくしてレンズの径方向の小型化を図ろうとすると、横長状のアクチュエータとシャッタ装置の円筒状の外周部とが干渉して、シャッタ装置がアクチュエータにぶつかる問題があった。
そのために、従来の撮像装置は、シャッタ装置を、横長状のアクチュエータと干渉しない位置に配設していた。
【０００６】
【特許文献１】特開２００２−３４５２２５号公報
【特許文献２】特開平    ５−３２２５０２号公報
【発明の開示】
【発明が解決しようとする課題】
【０００７】
しかし、シャッタ装置をアクチュエータと干渉しない位置に配設した従来の撮像装置は、光軸方向の奥行き寸法が、アクチュエータの横長寸法に加えてシャッタ装置の厚さ寸法が追加されるために大きくなり、デジタルカメラや携帯電話器等の小型化の障害となる問題があった。
また、シャッタ装置を横長状のアクチュエータ上に配設して、光軸方向の奥行き寸法を小さくしようとすると、シャッタ装置がアクチュエータにぶつからないように、レンズ光軸からアクチュエータまでの距離を大きくしなけらばならず、レンズの径方向の寸法が大きくなる問題があった。
本発明は前述したような課題を解決するために、レンズの径方向の寸法を大きくすることなく、レンズの光軸方向である奥行き寸法を小さくすることが可能な撮像装置を提供することを目的とする。
【課題を解決するための手段】
【０００８】
上記課題を解決するための第１の解決手段として本発明の撮像装置は、撮像素子と、この撮像素子と対向する側に配設した対物レンズと、前記撮像素子と前記対物レンズとの間に配設した所定の口径のレンズと、このレンズを内蔵してレンズ光軸に沿って移動可能なレンズ鏡筒と、前記対物レンズを透過した光が前記レンズ鏡筒の前記レンズに入射するのを遮蔽可能なシャッタ羽根を有するシャッタ装置とを備え、
前記シャッタ装置は、前記レンズ光軸と直交する方向に延びる仮想線より一方側、あるいは前記仮想線近傍に、前記シャッタ羽根、およびこのシャッタ羽根の開閉動作を行うための開閉駆動部を配設し、前記仮想線より他方側の面積を小さくした非対称に形成され、前記シャッタ装置の前記他方側と対向する側に、前記レンズ鏡筒を前記レンズ光軸に沿って移動操作するためのアクチュエータを配設したことを特徴とする。
【０００９】
また、上記課題を解決するための第２の解決手段として、前記シャッタ装置は、前記シャッタ羽根と、前記レンズ鏡筒に内蔵した前記レンズに入射する光量を調整可能な絞り羽根とを有し、前記シャッタ羽根および前記絞り羽根には、それぞれ前記開閉駆動部が係合されて、前記シャッタ羽根および前記絞り羽根を独立して駆動可能になっていることを特徴とする。
【００１０】
また、上記課題を解決するための第３の解決手段として、前記開閉駆動部は、前記レンズ光軸を挟んだ互いに対向する位置にそれぞれ配設したことをことを特徴とする。
【００１１】
また、上記課題を解決するための第４の解決手段として、前記レンズ鏡筒は、ズームレンズを組み込んだ第１レンズ鏡筒と、フォーカスレンズを組み込んだ第２レンズ鏡筒とを有し、前記アクチュエータは、前記第１、第２レンズ鏡筒をそれぞれ独立して前記移動操作可能な第１、第２アクチュエータとを有し、この第１、第２アクチュエータは、前記シャッタ部材の前記他方側と対向する側にそれぞれ配設したことを特徴とする。
【００１２】
また、上記課題を解決するための第５の解決手段として、前記アクチュエータは、円筒状の固定コイルと、この固定コイルの円筒内部に位置して前記レンズ光軸と平行方向に往復移動可能な可動体と、前記コイルおよび前記可動体の外周を覆うカバーとを有し、前記可動体には、前記カバーの外側に延びて前記レンズ鏡筒を係支可能なアーム部が形成され、前記可動体は、前記アーム部の一部が支持軸に軸支されて前記レンズ光軸と平行方向の往復移動可能になっており、前記可動体の往復移動に連動して前記レンズ鏡筒が往復移動することを特徴とする。
【００１３】
前記可動体は、駆動マグネットを有し、この駆動マグネットは、前記アーム部を介して前記支持軸に片持ち支持されて前記カバー内部で自由端状になっていることを特徴とする。
【発明の効果】
【００１４】
シャッタ装置は、前記レンズ光軸と直交する方向に延びる仮想線より一方側、あるいは前記仮想線近傍に、前記シャッタ羽根、およびこのシャッタ羽根の開閉動作を行うための開閉駆動部を配設して、前記仮想線より他方側の面積を小さくした非対称に形成され、前記シャッタ装置の前記他方側と対向する側に、前記レンズ鏡筒を前記レンズ光軸に沿って移動操作するためのアクチュエータを配設したので、レンズの径方向の寸法を大きくすることなく、レンズ光軸方向の寸法を小さくできる。そのために、小型の撮像装置を提供できる。
【００１５】
また、シャッタ装置は、シャッタ羽根と、レンズ鏡筒に内蔵したレンズに入射する光量を調整可能なＮＤフィルタとを有し、シャッタ羽根およびＮＤフィルタには、開閉駆動部がそれぞれ係合させて、シャッタ羽根およびＮＤフィルタを独立して駆動可能になっているので、レンズに入射する光の遮蔽、および光量調整を確実に行うことができる。
【００１６】
また、開閉駆動部は、レンズ光軸を挟んだ互いに対向する位置にそれぞれ配設したので、シャッタ羽根およびＮＤフィルタを確実で迅速に駆動することができる。
【００１７】
また、レンズ鏡筒は、ズームレンズを組み込んだ第１レンズ鏡筒と、フォーカスレンズを組み込んだ第２レンズ鏡筒とを有し、アクチュエータは、第１、第２レンズ鏡筒をそれぞれ独立して移動操作可能な第１、第２アクチュエータとを有し、この第１、第２アクチュエータは、シャッタ部材の他方側と対向する側にそれぞれ配設したので、光軸方向の奥行き寸法を小さくできる。
【００１８】
また、アクチュエータの可動体には、カバーの外側に延びてレンズ鏡筒を係支可能なリンク部材を有するアーム部が形成され、可動体は、アーム部の一部が支持軸に軸支されてレンズ光軸と平行方向の往復移動可能になっており、可動体の往復移動に連動してレンズ鏡筒が往復移動するので、レンズ鏡筒を確実に光軸に沿って往復移動させることができる。
【００１９】
また、可動体は、駆動マグネットを有し、この駆動マグネットは、アーム部を介して支持軸に片持ち支持されてカバー内部で自由端状になっているので、小型のアクチュエータでレンズ鏡筒を確実で迅速に往復移動させることができる。
【発明を実施するための最良の形態】
【００２０】
以下、本発明の実施の形態を図１〜図６について説明する。図１〜図３は本発明の撮像装置１を説明する斜視図であり、図４は、本発明に係わるシャッタ装置の分解斜視図である。
まず、本発明の撮像装置１は、シャッタ装置２を有して、略１０ｍｍ角の正方形断面を有する本体部３のベース部３ａの中心部の光軸Ａに沿って第１、第２、第３のレンズ５ａ、５ｂ、５ｃ（５ａ、５ｃは図示せず）が配置されている。
【００２１】
また、第１のレンズ５ａは、本体部３の筐体３ｂに形成した開口３ｃに支持された対物レンズからなっている。
また、第２のレンズ５ｂは、第１のレンズ鏡筒４ａに、第３のレンズ５ｃは、第２のレンズ鏡筒４ｂに順番に配設されている。
それぞれのレンズ５ａ、５ｂ、５ｃは開口３ｃおよび各レンズ鏡筒４ａ、４ｂの開口６ａ、６ｂ（６ｂは図示せず）内部に内蔵されている。
前記対物レンズである第１のレンズ５ａを開口３ｃに取り付けた筐体３ｂは、外周壁部が本体部３の正方形と同一にして形成されて内部が空洞になっており、この空洞内部に構成各部が全部内蔵されている。
【００２２】
また、第１、第２のレンズ鏡筒４ａ、４ｂは、図１〜図３において、上部の２本のガイドロッド７と下部のフォーカス・ズーム用アクチュエータ８、８とによって光軸Ａに沿って移動自在に支持されている。
また、第２レンズ鏡筒４ｂと対向する側で光軸Ａと交わる部分のベース部材３ａには、ＣＣＤやＣＭＯＳ等の撮像素子（図示せず）が配設されている。
前記シャッタ装置２は、光軸Ａと直交する方向に延びる仮想線Ｂより図示上方の一方側の面積が大きく、仮想線Ｂより図示下方側の他方側の面積が小さい略５角形状の非対称に形成されている。
【００２３】
本実施形態におけるシャッタ装置２は、後述するベース箱体９の環状の凸部１３を第１のレンズ鏡筒４ａに固着されて、第１と第２のレンズ５ａ、５ｂ間に設置されている。前記配置関係は、設計の都合によって変更は可能である。
前記シャッタ装置２は、図４の分解斜視図に示すように、ベース箱体９と、このベース箱体９の上方に配設した蓋体１０とで形成されるケース１１の内部および底部に、構成各部を配置して形成されている。
【００２４】
また、ベース箱体９の底板１２には、光軸Ａを中心として第１のレンズ鏡筒４ａの対物側端面に当接して装着するための環状の凸部１３が形成され、この凸部１３と周囲の壁部１４との間に後述するリンク１９、２８が内蔵されている。
本実施の形態においては、第１のレンズ５ａから入射した光が第２のレンズ５ｂに入射するのを遮蔽可能なシャッタ機能を有するシャッタ羽根１５がケース１１の図示左半部に配設されている。
また、ケース１１の図示右半部には、第１のレンズ５ａを介して第２のレンズ５ｂに入射する光の光量を調整可能な絞り羽根１６が配設されている。
そして、それぞれの羽根１５、１６は、カーボンフェザーによって形成されて、それぞれの羽根１５、１６が静電気等で密着することなくスムーズに回動可能になっている。
【００２５】
また、ケース１１の図示左半分に配設された一方のシャッタ機能の構成を説明すると、ベース箱体９の底板１２に突設された２本のガイドピン１７、１８には、略１／４円弧状のシャッタ用リンク１９が円弧状孔２０および円弧状切り欠き２１をもって周方向に正逆回動自在に装着されている。
前記シャッタ用リンク１９の上部には、シャッタ羽根１５が配設され、このシャッタ羽根１５は、第１のレンズ鏡筒４ａの開口６ａを完全に遮蔽できる大きさの遮蔽部１５ａが形成されて、端部の孔２２をもってガイドピン１７に回動自在に枢着されている。
更に、シャッタ用リンク１９に突設した駆動ピン２３にカム溝２４を係合させて開閉駆動されるようになっている。
また、シャッタ用リンク１９の下面には、電磁力を利用してシャッタ用リンク１９を正逆回動させる電磁誘導駆動機構を形成する永久磁石２５が固着されている。
【００２６】
また、ケース１１の図示右半分に配設された他方の絞り機能の構成を説明すると、ベース箱体９の底板１２に突設された２本のガイドピン２６、２７に、略１／４円弧状の絞り用リンク２８が円弧状孔２９および円弧状切り欠き３０をもって周方向に正逆回動自在に装着されている。
前記絞り用リンク２８の上部には、絞り羽根１６が配設され、この絞り羽根１６は、第２のレンズ５ｂに入射する光の光量を調整可能な第２のレンズ５ｂの口径より大きな径の絞り孔３１を有し、この絞り孔３１に、例えばＮＤフィルタ３６が接着固定されて、端部の孔３２をもってガイドピン２６に回動自在に枢着されている。
更に、絞り用リンク２８に突設した駆動ピン３３にカム溝３４を係合させて開閉駆動されるようになっている。
尚、絞り羽根１６は、絞り穴３１を第２のレンズ５ｂの口径より小さい穴で形成し、この絞り穴３１で、第２のレンズ５ｂに入射する光の光量を調整するようにしたものでも良い。
また、絞り用リンク１９の下面には、電磁力を利用して当該絞り用リンク２８を正逆回動させる電磁誘導駆動機構を形成する永久磁石３５が固着されている。
【００２７】
前記それぞれの永久磁石２５、３５は、周方向にＮ極とＳ極とに２分割されており、例えばゴム磁石や、直接各リンク１９、２８に印刷して形成されている。
また、それぞれの永久磁石２５、３５と対向するベース箱体９の底板１２には、透孔３７、３８がそれぞれ開設されている。
前記ベース箱体９の下部には、ＦＰＣ（フレキシブルプリント基板）４１が配設され、透孔３７、３８に位置する各永久磁石２５、３５と対向する部分のＦＰＣ４１には、薄板状に巻回されたコイル３９、４０が接着剤等で固着されている。
尚、コイル３９、４０は、ＦＰＣ４１に印刷形成したものでも良い。
また、ＦＰＣ４１の下部にヨーク４２が配設されて順番に積層されている。
【００２８】
また、蓋体１０は、左右のガイドピン１７、２６に孔４５、４６を嵌入することにより位置決めされ、光軸Ａ部分に透孔４７が開設されている。
また、蓋体１０とヨーク４２とは、磁気回路を形成するためにスズめっき鋼板のような強磁性材料によって形成されている。
本実施形態においては、シャッタ羽根１５および絞り羽根１６がシャッタ部を形成し、シャッタ用リンク１９および絞り用リンク２８が開閉駆動部を形成し、永久磁石２５、３５、コイル３９、４０、ヨーク４２および蓋体１０が電磁誘導駆動機構を形成している。
【００２９】
また、本発明の実施の形態においては、シャッタ部および開閉駆動部が、レンズ光軸Ａと直交する方向に延びる仮想線Ｂより一方側である図示上部側、あるいは仮想線Ｂ近傍に配設することにより、仮想線Ｂより図示下部側で他方側の面積を小さくした非対称に形成されている。
そして、図１〜図３に示すように、面積の小さいシャッタ装置２の他方側と対向する図示下部側に、第１、第２レンズ鏡筒４ａ、４ｂを光軸Ａに沿って移動操作可能な横長状のアクチュエータ８、８が配設されている。
即ち、シャッタ装置２は、アクチュエータ８、８の図示上方近傍に、面積の小さな他方側を対向させて配置されている。
そのために、本発明の撮像装置１の奥行き寸法は、シャッタ装置２の厚さ寸法を加味しなくても良いので、奥行き寸法を小さくできる。
【００３０】
また、第１、第２レンズ鏡筒４ａ、４ｂをレンズ光軸Ａに沿って移動操作可能なアクチュエータ８は、図５、図６に示すように、外形が略円筒状で横長のカバー５２が配設されている。
前記カバー５２は、鋼板等の磁性材料からなり、内部に中空部５２ａが形成されていると共に、外周壁の図示手前側が所定の幅寸法で開放されて開口部５２ｂが形成されている。前記開口部５２ｂによって、中空部５２ａの手前側が開放されている。
また、カバー５２は、長手方向の左右両端部が、所定の幅と深さ寸法の切り欠き部５２ｃがそれぞれ形成されている。
【００３１】
前記カバー５２は、長手方向の両端部が支持部材５３の第１、第２側板５４、５５に支持されている。また、第１、第２側板５４、５５は、外周部にそれぞれ凸部５４ａ、５５ａと凹部５４ｂ、５５ｂとが形成されたカバー支持部５４ｃ、５５ｃと、このカバー支持部５４ｃ、５５ｃから図示手前側に延びる軸止部５４ｄ、５５ｄが形成されている。
そして、この軸止部５４ｄ、５５ｄに、後述する支持軸６３を嵌合させて軸止可能な軸止孔５４ｅ、５５ｅがそれぞれ形成されている。
また、支持部材５３には、第２側板５５の図示下部側をＬ字状に折り曲げて基部５６が一体形成され、この基部５６には、略矩形状のセンサ孔５６ａが貫通形成されている。
そして、基部５６の図示左側端部に第１側板５４が接着剤あるいはスポット溶接等で一体化されて、支持部材５３が略コ字状に形成されている。
【００３２】
また、第２側板５５側のカバー支持部５５ｃには、外形が円筒状で内部に空洞部５７ａを有するコイル５７が接着剤等で固着されている。
そして、コイル５７は、第２側板５５に接着した側と反対側の一方側が開放されている。また、第２側板５５のカバー支持部５５ｃには、カバー５２が支持され、このカバー５２の中空部５２ａにコイル５７が収納されている。
前記カバー５２は、長さがコイル５７の略２倍に形成されており、コイル５７を固着した第２側板５５のカバー支持部５５ｃにカバー５２を支持すると、開口部５２ｂの図示右側半分がコイル５７で遮蔽されるようになっている。
この時のカバー５２の開口部５２ｂの図示左側半分は、内部の中空部５２ａが視認できるように開放されている。
【００３３】
また、カバー５２の中空部５２ａ内には、可動体５８が配設されており、この可動体５８の一部がコイル５７の空洞部５７ａ内に位置して、可動体５８が中空部５２ａ内および空洞部５７ａ内を図示左右方向（矢印Ｃ、Ｄ方向）に往復移動可能になっている。
前記可動体５８は、永久磁石からなる円柱状の駆動マグネット５９と、この駆動マグネット５９の左右両端部に接着剤等で固着された磁性材料からなる第１ヨーク６０と第２ヨーク６１とから構成されている。
【００３４】
前記第１ヨーク６０は、駆動マグネット５９と外径が同じマグネット固着部６０ａが形成され、このマグネット固着部６０ａから図示左方向のカバー５２の内周面に近接させて所定量突出する突出部６０ｂが形成されている。
また、第１ヨーク６０は、マグネット固着部６０ａから突出部６０ｂと反対方向に延びるアーム部６０ｃが形成され、このアーム部６０ｃは、カバー５２の開口部２ｂ内に位置して矢印Ｃ、Ｄ方向に移動可能になっている。
【００３５】
そして、アーム部６０ｃの図示右側の先端部には、リンク部材６２を成形加工時に同時に埋設（インサート成型）されて、第１ヨーク６０とリンク部材６２とが一体化されている。
また、リンク部材６２には、後述する支持軸６３を軸支可能な支持孔６２ａが形成されている。
そして、リンク部材６２は、後述する支持軸６３の長手方向に幅広に形成され、この幅広部分に支持孔６２ａが形成されて、支持孔６２ａが支持軸６３に軸支されて、可動体５８が矢印Ｃ、Ｄ方向に往復移動可能になっている。
【００３６】
また、幅広のリンク部材６２には、図示右側上部のコーナ部が円弧状に切り欠きされて係支部６２ｂと係合部６２ｃとが形成されている。
そして、係支部６２ｂには、第１のレンズ鏡筒４ａ、または第２レンズ鏡筒４ｂを嵌合係支可能になっている。
また、係合部６２ｃには、第１のレンズ鏡筒４ａ、または第２のレンズ鏡筒４ｂをスライド自在に支持可能になっている。
前記リンク部材６２は、支持孔６２ａが棒状の支持軸６３に挿通されて、可動体５８が矢印Ｃ、Ｄ方向に往復移動可能に軸支されている。
【００３７】
前記支持軸６３に片持ち支持された可動体５８は、駆動マグネット５９の磁束が第１ヨーク６０の突出部６０ｂを介してカバー５２へ作用するので、突出部６０ｂをカバー５２の内周面に吸引しようとする吸引力が働く。
この吸引力によって、自由端状の駆動マグネット５９側は、コイル５７の空洞部５７ａの略中央部に位置して、コイル５７の内周面には接触しないようになっている。
【００３８】
前記支持軸６３は、左右両端部が、支持部材５３の第１、第２側板５４、５５の軸止孔５４ｅ、５５ｅに圧入または接着剤等で軸止されている。
また、支持部材５３の基部５６に形成したセンサ孔５６ａには、ＦＰＣ６４に半田付け等で実装されたホール素子等からなる磁気センサ６５が配設されている。
前記磁気センサ６５は、第１ヨーク６０のアーム部６０ｃから発生する磁束の変化を検出して、可動部材５８の移動方向および移動量を検出可能になっている。
【００３９】
このようなアクチュエータ８は、図６に示すようにように組立されており、コイル５７の空洞部５７ａ内に、可動体５８の自由端状の駆動マグネット５９と第２ヨーク６１とを位置させた状態で、コイル５７に、例えば一方向の電流を通電すると、フレーミングの法則に基づいて、コイル５７に発生する磁束が駆動マグネット５９の磁束に作用して、可動体５８が、矢印Ｃ方向に移動するようになっている。この時の可動体５８は、第１ヨーク６０の突出部６０ｂが、カバー５２の内周面に所定の吸引力で吸引されているので、自由端状の駆動マグネット５９側がコイル５７の空洞部５７ａ内の略中央部に位置し、矢印Ｃ、Ｄ方向に往復移動可能になっている。
【００４０】
このように形成されている本発明の撮像装置１の動作を説明すると、まず、例えば初期状態においては、シャッタ羽根１５と絞り羽根１６が、共に第１のレンズ鏡筒４ａの開口６ａを開放した全開状態にある。
この初期状態において、各コイル３９、４０に対して独立的に正逆通電することにより、シャッタ羽根１５と絞り羽根１６とを独立的に開口６ａを開閉制御することができる。そして、シャッタ羽根１５が開口６ａを開放して初期状態にあるときに、コイル３９に通電すると、発生する磁界が永久磁石２５の磁界に作用して、シャッタ用リンク１９が反時計方向に回動する。
【００４１】
これによりシャッタ用リンク１９の駆動ピン２３がそれに係合しているシャッタ羽根１５のカム溝２４を押圧して、シャッタ羽根１５をガイドピン１７を中心として時計回り方向に回動させる。
そして、シャッタ用リンク１９の反時計回り方向への回動に従って、シャッタ羽根１５が最終的に第１のレンズ鏡筒４ａの開口６ａが完全に閉じられる。
また、コイル３９への通電方向を逆にすると、逆動作によってシャッタ羽根１５が反時計回り方向に回動して、開口６ａが全開となる。
【００４２】
次に、絞り羽根１６の開閉を説明すると、絞り孔３１に取り付けたＮＤフィルタ３６が開口６ａを開放して初期状態にあるときに、コイル４０に通電すると、発生する磁界が永久磁石３５の磁界に作用して、絞り用リンク２８が時計回り方向に回動する。これにより絞り用リンク２８の駆動ピン３３がそれに係合している絞り羽根１６のカム溝３４を押圧して、絞り羽根１６をガイドピン２６を中心として反時計方向に回動させる。
そして、絞り用リンク２８の時計方向への移動に従って、ＮＤフィルタ３６が最終的に第１のレンズ鏡筒４ａの開口６ａに位置して、開口６ａを通過する光量が調整されて絞られる。また、コイル４０への通電方向を逆にすると逆動作によって絞り羽根１６が時計回り方向に回動して、ＮＤフィルタ３６が開口６ａを全開とする。
【００４３】
また、それぞれのリンク１９、２８と一緒に周方向に正逆移動する永久磁石２５、３５は、それぞれ周方向の移動端位置において、ヨーク４２の端部若しくは透孔４４の周方向端部と各永久磁石２５、３５の周方向端部とが近接することにより、両者の磁気的吸引力によって周方向の移動端位置を保持するバイアスをかけられる。
これによりシャッタ羽根１５と絞り羽根１６に取り付けたＮＤフィルタ３６とがそれぞれ全開位置、全閉位置、所定の絞り位置を保持することが容易となる。
また、外部から誤って衝撃等が加わっても、シャッタ羽根１５およびＮＤフィルタ３６が開口６ａを開閉することがない。
【００４４】
そして、アクチュエータ８、８を、それぞれ独立して起動することにより、第１、第２のレンズ鏡筒４ａ、４ｂが光軸Ａに沿って往復移動して、フォーカス動作およびズーミング動作を行うことができるようになっている。
また、本発明に係わるシャッタ装置２は、シャッタ羽根１５とＮＤフィルタ３６を有し、開閉駆動部材をそれぞれ配設したもので説明したが、シャッタ羽根１５およびこれを駆動する一個の開閉駆動部材を配設したものでも良い。
また、本発明の実施の形態の撮像装置１は、奥行き寸法が小さくなっているので、撮像装置１を用いたデジタルカメラあるいは携帯電話器等の小型化を図ることができる。
【００４５】
また、本発明の実施の形態の撮像装置１は、、シャッタ羽根１５の遮蔽部１５ａに、レンズ鏡筒４の開口部６ａを閉じる方向に移動させようとする衝撃力が外部から加わったとしても、シャッタ用リンク１９の両端部がケース１１に回動できないように支持されているので、シャッタ羽根１５の回動を防止することができる。
更に、レンズの光軸Ａ方向の投影面以内のシャッタ部以外の領域にアクチュエータ８等を設置することができる。更に、本実施形態の小型シャッタ１は、シャッタ機能と絞り機能とを共に備えていて、適正に作動することができ、しかもより確実に小型化を図ることができる。なお、本発明は前記実施の形態に限定されるものではなく、必要に応じて変更することも可能である。
【図面の簡単な説明】
【００４６】
【図１】本発明の撮像装置の一実施形態を示す一部切断斜視図である。
【図２】図１の実施形態の筐体を除いた状態を示す斜視図である。
【図３】図２の実施形態の分解状態を示す斜視図
【図４】本発明に係わるシャッタ装置を示す分解斜視図である。
【図５】本発明に係わるアクチュエータの分解斜視図である。
【図６】図５のアクチュエータを組み立てた斜視図である。
【符号の説明】
【００４７】
１  本発明の撮像装置
２  シャッタ装置
４ａ、４ｂ  レンズ鏡筒
８  アクチュエータ
１５  シャッタ羽根
１６  絞り羽根
１９、２８  リンク
２５、３５  永久磁石
３９、４０  コイル
【図１】
2005195845.tif 000003
【図２】
2005195845.tif 000004
【図３】
2005195845.tif 000005
【図４】
2005195845.tif 000006
【図５】
2005195845.tif 000007
【図６】
2005195845.tif 000008